(57)【要約】      （修正有）【課題】ポンプからの振動や残り湯の流動抵抗による振動などによって浴槽の残り湯面に吸い込み口側端が近付くのを防止して残り湯を洗濯機に円滑に給水することができるとともに、給水ホースを瞬時に拘束することができる給水ホースホルダーを提供する。【解決手段】浴槽の残り湯を洗濯機に給水する給水ホース２の吸い込み口側端２１を給水ホースの管径方向から包持して拘束する拘束部３と、拘束部３に設けられ、浴槽の壁面の底部に吸着して固定される吸着部４と、を備える。拘束部３及び吸着部４は、シリコン樹脂などの合成樹脂材により一体的に成形される。拘束部３は、吸着部４より膨出する可撓性を有する一対の膨出片３１と、各膨出片の基端部に設けられ、給水ホースの吸い込み口側端を管径方向へ押し広げられた状態からの復元力により包持する包持用凹部３２とを備える。【選択図】図２
0003198608.tif 000002
【実用新案登録請求の範囲】
【請求項１】
浴槽の残り湯を洗濯機のタンクに給水する給水ホースの吸い込み口側端を当該給水ホースの管径方向から包持して拘束する拘束部と、
前記拘束部に設けられ、前記浴槽の底部に吸着して固定される吸着部と、
を備えていることを特徴とする給水ホースホルダー。
【請求項２】
前記拘束部は、
前記吸着部より膨出する可撓性を有する単一又は一対の膨出片と、
この膨出片の基端部に設けられ、前記給水ホースの吸い込み口側端をその拘束時に当該給水ホースの管径方向へ押し広げられた状態からの復元力により包持する包持用凹部と、
を備えている請求項１に記載の給水ホースホルダー。
【請求項３】
前記拘束部と前記吸着部とは、合成樹脂材により一体的に成形されている請求項１又は請求項２に記載の給水ホースホルダー。
【考案の詳細な説明】
【技術分野】
【０００１】
本考案は、浴槽の残り湯を洗濯機のタンクに給水する給水ホースの吸い込み口側端を浴槽の底部に保持するようにした給水ホースホルダーに関するものである。
【背景技術】
【０００２】
一般に、洗濯時の節水を図る上で、浴槽の残り湯を利用することが行われている。このとき、洗濯機のタンクに給水する給水ホースを浴槽に差し込んで給水する必要がある。
【０００３】
しかし、給水ホースを浴槽に単に差し込んでいるだけでは、給水ホースを介して残り湯を汲み上げるポンプからの振動や給水ホースを流れる残り湯の流動抵抗による振動などによって、給水ホースが浴槽の縁に沿って移動してしまう。このため、給水ホースをその吸い込み口側端が浴槽の最深部に位置するように差し込んでいても、ポンプからの振動や残り湯の流動抵抗による振動などによって給水ホースが浴槽の縁に沿って移動すると、吸い込み口側端が浴槽の浅瀬に位置してしまうことがあり、これでは、浴槽の残り湯を洗濯機のタンクに無駄なく給水することができない。
【０００４】
そこで、従来より、浴室の壁又は浴槽の縁付近に取り付けられた指示具のリング状の支持手段に給水ホースを内通させ、この支持手段を縮径させて給水ホースを拘束することで、ポンプからの振動や残り湯の流動抵抗による振動などによる浴槽の縁に沿った給水ホースの移動を規制し、吸い込み口側端が浴槽の最深部から浅瀬に移動してしまうことを防止できるようにしたものが知られている。
【先行技術文献】
【特許文献】
【０００５】
【特許文献１】特開２０１４−１５０８３１号公報
【考案の概要】
【考案が解決しようとする課題】
【０００６】
ところが、前記従来の指示具といった給水ホースホルダーは、浴室の壁又は浴槽の縁付近に取り付けられ、そのリング状の支持手段に給水ホースを内通させて縮径させることで拘束しているため、給水ホースが支持された位置と吸い込み口側端との距離がかなり離れたものとなる。そのため、給水ホースの吸い込み口側端がポンプからの振動や残り湯の流動抵抗による振動などによって揺れると、浴槽の残り湯面に吸い込み口側端が近付いて浮き上がってしまうおそれがあり、これでは、浴槽の残り湯を洗濯機のタンクに円滑に給水することができない。このとき、給水ホースの吸い込み口側端に当該給水ホースよりも径の大きなフィルタなどが設けられていると、このフィルタが錘となってポンプからの振動や残り湯の流動抵抗による振動などによる給水ホースの揺れがある程度は抑制されるものの、その抑制された揺れであっても、吸い込み口側端が浴槽の残り湯面に近付いてしまうことに変わりはなく、同様に浴槽の残り湯を洗濯機のタンクに円滑に給水することができない。
【０００７】
また、前記従来のものでは、給水ホースの吸い込み口側端に径の大きなフィルタなどが設けられていると、給水ホースを支持手段に事前に内通させて拘束しておく必要があり、給水ホースを内通し忘れた場合には給水ホースを内通可能な状態に戻してから拘束しなければならないために時間を要してしまい、給水ホースを瞬時に拘束することができない。
【０００８】
本考案は、かかる点に鑑みてなされたものであり、その目的とするところは、ポンプからの振動や残り湯の流動抵抗による振動などによって浴槽の残り湯面に吸い込み口側端が近付くのを確実に防止して浴槽の残り湯を洗濯機のタンクに円滑に給水することができるとともに、給水ホースを瞬時に拘束することができる給水ホースホルダーを提供することにある。
【課題を解決するための手段】
【０００９】
前記目的を達成するために、本考案では、給水ホースホルダーとして、浴槽の残り湯を洗濯機のタンクに給水する給水ホースの吸い込み口側端を当該給水ホースの管径方向から包持して拘束する拘束部と、前記拘束部に設けられ、前記浴槽の底部に吸着して固定される吸着部と、を備えることを特徴としている。
【００１０】
また、前記拘束部は、前記吸着部より膨出する可撓性を有する単一又は一対の膨出片と、この膨出部の基端部に設けられ、前記給水ホースの吸い込み口側端をその拘束時に当該給水ホースの管径方向へ押し広げられた状態からの復元力により包持する包持用凹部とを備えていることが好ましい。
【００１１】
更に、前記拘束部と前記吸着部とは、合成樹脂材により一体的に成形されていてもよい。
【考案の効果】
【００１２】
以上、要するに、吸着部を浴槽の底部に吸着して固定した給水ホースホルダーの拘束部によって、給水ホースの吸い込み口側端を当該給水ホースの管径方向から包持して拘束することで、給水ホースが吸着された位置と吸い込み口側端との距離が非常に近接したものとなる。そのため、拘束部によって拘束された給水ホースの吸い込み口側端がポンプからの振動や残り湯の流動抵抗による振動などによって揺れることがなく、浴槽の残り湯面に吸い込み口側端が近付いて浮き上がってしまうことが確実に防止され、浴槽の残り湯を洗濯機のタンクに円滑に給水することができる。
【００１３】
しかも、吸い込み口側端に径の大きなフィルタなどが設けられていても、給水ホースを拘束部で事前に拘束しておく必要がなく、給水ホースを瞬時に拘束することができる。
【００１４】
また、吸着部より膨出する単一又は一対の膨出片の可撓性によって、その基端部の包持用凹部において給水ホースの吸い込み口側端をその拘束時に管径方向へ押し広げられた状態からの復元力により包持することで、給水ホースを簡単かつ確実に拘束することができる。
【００１５】
更に、拘束部と吸着部とを合成樹脂材により一体的に成形することで、給水ホースホルダーを簡単かつ安価に製造することができる。
【図面の簡単な説明】
【００１６】
【図１】本考案の第１の実施の形態に係る給水ホースホルダーにより給水ホースの吸い込み口側端を拘束した状態を示す浴槽の断面図である。
【図２】図１の給水ホースホルダーにより給水ホースの吸い込み口側端を拘束した状態の拡大斜視図である。
【図３】図１の給水ホースホルダーの正面図である。
【図４】図１の給水ホースホルダーの背面図である。
【図５】図１の給水ホースホルダーの右側面図である。
【図６】図１の給水ホースホルダーの左側面図である。
【図７】図１の給水ホースホルダーの平面図である。
【図８】図１の給水ホースホルダーの底面図である。
【図９】第１の実施の形態の変形例に係る給水ホースホルダーにより給水ホースの吸い込み口側端を拘束した状態の拡大斜視図である。
【図１０】本考案の第２の実施の形態に係る給水ホースホルダーにより給水ホースの吸い込み口側端を拘束した状態を示す浴槽の断面図である。
【図１１】図１０の給水ホースホルダーにより給水ホースの吸い込み口側端を拘束した状態の拡大斜視図である。
【図１２】図１０の給水ホースホルダーの正面図である。
【図１３】図１０の給水ホースホルダーの背面図である。
【図１４】図１０の給水ホースホルダーの右側面図である。
【図１５】図１０の給水ホースホルダーの左側面図である。
【図１６】図１０の給水ホースホルダーの平面図である。
【図１７】図１０の給水ホースホルダーの底面図である。
【図１８】第２の実施の形態の変形例に係る給水ホースホルダーにより給水ホースの吸い込み口側端を拘束した状態の拡大斜視図である。
【考案を実施するための形態】
【００１７】
以下、添付図面を参照しながら、本考案の実施の形態について説明し、本考案の理解に供する。尚、以下の実施の形態は、本考案を具体化した一例であって、本考案の技術的範囲を限定する性格のものではない。
【００１８】
図１は本考案の第１の実施の形態に係る給水ホースホルダーにより給水ホースの吸い込み口側端を拘束した状態を示す浴槽の断面図、図２は給水ホースホルダーにより給水ホースの吸い込み口側端を拘束した状態の拡大斜視図をそれぞれ示している。
【００１９】
まず、図１及び図２を用いて、本考案の第１の実施の形態に係る給水ホースホルダーについて説明する。
【００２０】
図１及び図２において、１は給水ホースホルダーであって、この給水ホースホルダー１は、浴槽Ａの残り湯を図示しない洗濯機のタンクに給水する給水ホース２を保持している。給水ホース２は、直径２０ｍｍ前後のものが用いられ、図示しない排出口側端が洗濯機のタンクに給水可能に接続されている。また、給水ホース２は、浴槽Ａの縁Ａ１より真っ直ぐ下方へ延びて配置され、その下端の吸い込み口側端２１には給水ポンプ２２が装着されている。この給水ポンプ２２は、給水ホース２の吸い込み口側端２１での軸線方向と一致する上下方向の軸芯を有している。そして、給水ポンプ２２の上端部には、給水ホース２の吸い込み口側端２１を止着する止着部２３が設けられているとともに、図示しないコンセントから電源を供給する電源コード２４が止着部２３に隣接する位置より導出されている。また、給水ポンプ２２の下面には、浴槽Ａの底面Ａ２に対向する吸い込み口２５が設けられている。
【００２１】
図３は給水ホースホルダー１の正面図、図４は給水ホースホルダー１の背面図、図５は給水ホースホルダー１の右側面図、図６は給水ホースホルダー１の左側面図、図７は給水ホースホルダー１の平面図、図８は給水ホースホルダー１の底面図をそれぞれ示している。
【００２２】
この図３〜図８にも示すように、給水ホースホルダー１は、給水ホース２の吸い込み口側端２１を当該給水ホース２の管径方向から包持して拘束する拘束部３と、この拘束部３に設けられ、浴槽Ａの縦壁Ａ３の底部に吸着して固定される吸着部４とを備えている。この拘束部３と吸着部４とは、合成樹脂材（例えばシリコン樹脂など）によって一体的に成形されている。
【００２３】
拘束部３は、吸着部４より一対で膨出する可撓性を有する膨出片３１，３１と、この各膨出部３１の基端部に設けられ、給水ホース２の吸い込み口側端２１をその拘束時に当該給水ホース２の管径方向へ押し広げられた状態からの復元力により包持する包持用凹部３２とを備えている。一対の膨出片３１，３１は、吸着部４より突設された略半球形状の兎の頭部を擬す疑似頭部３０より膨出する兎の疑似耳であり、この一対の膨出片３１，３１の基端同士が向き合う形で給水ホース２の吸い込み口側端２１を包持する包持用凹部３２をそれぞれ備えている。この場合、給水ホース２の吸い込み口側端２１は、給水ポンプ２２下面の吸い込み口２５を浴槽Ａの底面Ａ２から約１０ｍｍ程度離間した位置で保持するように、一対の膨出片３１，３１により包持されて拘束されている。
【００２４】
吸着部４は、吸盤により形成され、周縁の一箇所より外方へ突出するつまみ４１を引き上げることで浴槽Ａの縦壁Ａ３から取り外される。
【００２５】
したがって、本実施の形態では、吸着部４を浴槽Ａの縦壁Ａ３の底部に吸着して固定した給水ホースホルダー１の拘束部３によって、給水ホース２の吸い込み口側端２１を当該給水ホース２の管径方向から包持して拘束することで、給水ホース２が吸着された位置と吸い込み口側端２１との距離が非常に近接したものとなる。そのため、拘束部３によって拘束された給水ホース２の吸い込み口側端２１がポンプからの振動や残り湯の流動抵抗による振動などによって揺れることがなく、浴槽Ａの残り湯面ＡＷに吸い込み口側端２１が近付いて浮き上がってしまうことが確実に防止され、浴槽Ａの残り湯を洗濯機のタンクに円滑に給水することができる。
【００２６】
しかも、吸い込み口側端２１に径の大きな給水ポンプ２２が設けられていても、給水ホース２を拘束部３で事前に拘束しておく必要がなく、給水ホース２を瞬時に拘束することができる。
【００２７】
また、拘束部３と吸着部４とがシリコン樹脂などの合成樹脂材により一体的に成形されているので、給水ホースホルダー１を簡単かつ安価に製造することができる。
【００２８】
更に、吸着部４より一対で膨出する膨出片３１，３１の可撓性によって、それぞれの基端部の包持用凹部３２，３２において給水ホース２の吸い込み口側端２１をその拘束時に管径方向へ押し広げられた状態からの復元力により包持しているので、拘束給水ホース２の吸い込み口側端２１を簡単かつ確実に拘束でき、給水ポンプ２２下面の吸い込み口２５を浴槽Ａの底面Ａ２から約１０ｍｍ程度離間した位置で円滑に保持することができる。
【００２９】
なお、本実施の形態では、下面に吸い込み口２５を有する給水ポンプ２２の止着部２３に止着された給水ホース２の吸い込み口側端２１を一対の膨出片３１，３１により包持して拘束したが、図９に示すように、給水ホース２の吸い込み口側端２１での軸線方向と略直交する左右方向に軸芯を有し、その軸芯方向の一側端に吸い込み口５５が設けられる一方他側端より電源コード５４が導出された給水ポンプ５２を備え、この給水ポンプ５２より上方へ突出する止着部５３に止着された給水ホース２の吸い込み口側端２１を一対の膨出片３１，３１により包持して拘束していてもよい。
【００３０】
次に、本考案の第２の実施の形態を図１０〜図１７に基づいて説明する。
【００３１】
本実施の形態では、給水ホースホルダーの構成を変更している。なお、給水ホースホルダーを除くその他の構成は前記第１の実施の形態と同じであり、同じ部分については同一の符号を付してその詳細な説明は省略する。
【００３２】
図１０は本考案の第２の実施の形態に係る給水ホースホルダーにより給水ホースの吸い込み口側端を拘束した状態を示す浴槽の断面図、図１１は給水ホースホルダーにより給水ホースの吸い込み口側端を拘束した状態の拡大斜視図をそれぞれ示している。また、図１２は給水ホースホルダーの正面図、図１３は給水ホースホルダーの背面図、図１４は給水ホースホルダーの右側面図、図１５は給水ホースホルダーの左側面図、図１６は給水ホースホルダーの平面図、図１７は給水ホースホルダーの底面図をそれぞれ示している。
【００３３】
図１０〜図１７において、給水ホースホルダー６は、給水ホース２の吸い込み口側端２１を当該給水ホース２の管径方向から包持して拘束する拘束部７と、この拘束部７に設けられ、浴槽Ａの縦壁Ａ３の底部に吸着して固定される吸着部８とを備えている。この拘束部７と吸着部８とは、合成樹脂材（例えばシリコン樹脂など）によって一体的に成形されている。
【００３４】
拘束部７は、吸着部８より膨出する可撓性を有する単一の膨出片８１と、この膨出部８１の基端部に設けられ、給水ホース２の吸い込み口側端２１をその拘束時に当該給水ホース２の管径方向へ押し広げられた状態からの復元力により包持する包持用凹部７２とを備えている。膨出片７１は、吸着部８より突設された略半球形状の象の頭部を擬す疑似頭部７０より膨出する象の疑似鼻であり、この膨出片７１の基端を中心に巻き込む形で給水ホース２の吸い込み口側端２１を包持する包持用凹部７２を備えている。この場合、給水ホース２の吸い込み口側端２１は、給水ポンプ２２下面の吸い込み口２５を浴槽Ａの底面Ａ２から約１０ｍｍ程度離間した位置で保持するように、膨出片７１により包持されて拘束されている。
【００３５】
吸着部８は、吸盤により形成され、周縁の一箇所より外方へ突出するつまみ８１を引き上げることで浴槽Ａの縦壁Ａ３から取り外される。
【００３６】
したがって、本実施の形態では、吸着部８を浴槽Ａの縦壁Ａ３の底部に吸着して固定した給水ホースホルダー６の拘束部７によって、給水ホース２の吸い込み口側端２１を当該給水ホース２の管径方向から包持して拘束することで、給水ホース２が吸着された位置と吸い込み口側端２１との距離が非常に近接したものとなる。そのため、拘束部７によって拘束された給水ホース２の吸い込み口側端２１がポンプからの振動や残り湯の流動抵抗による振動などによって揺れることがなく、浴槽Ａの残り湯面ＡＷに吸い込み口側端２１が近付いて浮き上がってしまうことが確実に防止され、浴槽Ａの残り湯を洗濯機のタンクに円滑に給水することができる。
【００３７】
しかも、吸い込み口側端２１に径の大きな給水ポンプ２２が設けられていても、給水ホース２を拘束部７で事前に拘束しておく必要がなく、給水ホース２を瞬時に拘束することができる。
【００３８】
また、拘束部７と吸着部８とがシリコン樹脂などの合成樹脂材により一体的に成形されているので、給水ホースホルダー６を簡単かつ安価に製造することができる。
【００３９】
更に、吸着部８より膨出する単一の膨出片７１の可撓性によって、その基端部の包持用凹部７２において給水ホース２の吸い込み口側端２１をその拘束時に管径方向へ押し広げられた状態からの復元力により包持しているので、拘束給水ホース２の吸い込み口側端２１を簡単かつ確実に拘束でき、給水ポンプ２２下面の吸い込み口２５を浴槽Ａの底面Ａ２から約１０ｍｍ程度離間した位置で円滑に保持することができる。
【００４０】
なお、本実施の形態では、下面に吸い込み口２５を有する給水ポンプ２２の止着部２３に止着された給水ホース２の吸い込み口側端２１を単一の膨出片７１により包持して拘束したが、図１８に示すように、給水ホース２の吸い込み口側端２１での軸線方向と略直交する左右方向に軸芯を有し、その軸芯方向の一側端に吸い込み口５５が設けられる一方他側端より電源コード５４が導出された給水ポンプ５２を備え、この給水ポンプ５２より上方へ突出する止着部５３に止着された給水ホース２の吸い込み口側端２１を単一の膨出片７１により包持して拘束していてもよい。
【００４１】
また、前記各実施の形態では、浴槽Ａの縦壁Ａ３の底部に吸着部４，８により給水ホースホルダー１，６を吸着したが、浴槽の底面に吸着部により給水ホースホルダーが吸着されていてもよい。
【符号の説明】
【００４２】
Ａ      浴槽
２      給水ホース
２１    吸い込み口側端
３      拘束部
３１    膨出片
３２    包持用凹部
４      吸着部
７      拘束部
７１    膨出片
７２    包持用凹部
８      吸着部
【図１】
0003198608.tif 000003
【図２】
0003198608.tif 000004
【図３】
0003198608.tif 000005
【図４】
0003198608.tif 000006
【図５】
0003198608.tif 000007
【図６】
0003198608.tif 000008
【図７】
0003198608.tif 000009
【図８】
0003198608.tif 000010
【図９】
0003198608.tif 000011
【図１０】
0003198608.tif 000012
【図１１】
0003198608.tif 000013
【図１２】
0003198608.tif 000014
【図１３】
0003198608.tif 000015
【図１４】
0003198608.tif 000016
【図１５】
0003198608.tif 000017
【図１６】
0003198608.tif 000018
【図１７】
0003198608.tif 000019
【図１８】
0003198608.tif 000020